(57)【要約】【課題】撮影条件に応じた照明を行うことができる照明装置を提供する。【解決手段】異なる波長分布パターン、および照射角度の異なる複数の発光素子３０２を設け、撮像条件に適合する波長分布パターンや照射角度となるように複数の発光素子３０２の輝度を制御する制御部３０４とを設けたので、撮影条件に応じた波長分布パターンや照射角度で被写体に照明を行うことができる。【選択図】図２
2006010745.tif 000002
【特許請求の範囲】
【請求項１】
異なる波長分布パターンで発光する複数の発光素子と、
撮像条件に適合する波長分布パターンになるように前記複数の発光素子の輝度を制御する制御手段と
を有する照明装置。
【請求項２】
被写体からの光を検出する受光手段を有し、
前記制御手段は、前記受光手段による検出信号に応じた撮像条件に基づいて前記発光素子の輝度を制御する
請求項１に記載の照明装置。
【請求項３】
前記制御手段は、前記撮像条件に適合する波長分布パターンとなるように、前記複数の発光素子それぞれに印加する信号のレベルを制御する
請求項１に記載の照明装置。
【請求項４】
照射角度の異なる複数の発光素子を有し、
前記制御手段は、撮像条件に適合する照射角度で発光するように前記発光素子の輝度を制御する
請求項１に記載の照明装置。
【請求項５】
前記制御手段は、撮像装置に設けられた受光手段による検出信号に応じた撮像条件が当該撮像装置から入力されない場合には、照明装置に設けられた受光手段による検出信号に応じた撮像条件に基づいて前記発光素子の輝度を制御する
請求項１に記載の照明装置。
【請求項６】
照射角度の異なる複数の発光素子と、
撮像条件に適合する照射角度で発光するように前記発光素子の輝度を制御する制御手段と
を有する照明装置。
【請求項７】
前記発光素子は、第１の照射角度の第１の発光素子と、前記第１の照射角度より大きい第２の照射角度の第２の発光素子を含み、
前記制御手段は、前記第１の撮像条件の場合には前記第１の発光素子のみを発光させ、前記第１の撮像条件以外の第２の撮像条件の場合には前記第２の発光素子を発光させる
請求項６に記載の照明装置。
【請求項８】
前記制御手段は、前記撮像条件に適合する照射角度で発光するように、前記複数の発光素子それぞれに印加する信号のレベルを制御する
請求項６に記載の照明装置。
【請求項９】
被写体からの光を検出する受光手段を有し、
前記制御手段は、前記受光手段による検出信号に応じた撮像条件に基づいて前記発光素子の輝度を制御する
請求項６に記載の照明装置。
【請求項１０】
前記発光素子からの照射光を拡散する拡散手段を有し、
前記受光手段は、前記発光素子による前記拡散手段を介した光の被写体からの反射光を検出し、
前記制御手段は、前記受光手段による検出信号に応じた撮像条件に基づいて前記発光素子の輝度を制御する
請求項９に記載の照明装置。
【請求項１１】
前記制御手段は、撮像装置に設けられた受光手段による検出信号に応じた撮像条件が当該撮像装置から入力されない場合には、照明装置に設けられた受光手段による検出信号に応じた撮像条件に基づいて前記発光素子の輝度を制御する
請求項６に記載の照明装置。
【請求項１２】
前記発光素子は、発光面の中心部からの距離に応じて照射角度が異なる発光素子が形成されている
請求項６に記載の照明装置。
【発明の詳細な説明】
【技術分野】
【０００１】
本発明は、例えば、カメラやビデオカメラ等が撮影時に被写体に光を照射する照射装置に関するものである。
【背景技術】
【０００２】
例えば電荷結合素子（ＣＣＤ：Charge Coupled Device）やＣＭＯＳ（Complementary Metal Oxide Semiconductor）等の光を電気信号に変換する受光素子を備え、その電気信号を磁気テープや磁気ディスク、光ディスク等の記録媒体に記録する撮像装置が知られている。
【０００３】
一般的に撮像装置の光源には、ハロゲンランプが利用されている。ハロゲンランプは撮影時に被写体に十分な明るさの光を照射することができ、かつ安価であるので、主な光源としてさまざまな用途で使用されている。しかし、ハロゲンランプは発光時の消費電力が大きい。
【０００４】
近年では、比較的小さい消費電力の発光ダイオードを備えた照明装置が知られている（例えば、特許文献１参照）。
【特許文献１】特開２００３−７１０３号公報
【発明の開示】
【発明が解決しようとする課題】
【０００５】
例えばＣＣＤは人間の視覚と異なる受光感度であるため、撮影時にＣＣＤの受光感度に応じた照度や色温度等の撮影条件の照明を行う必要がある。
このためＣＣＤ等の受光素子を備えた撮像装置の撮影条件に応じた照明を行うことができる照明装置が望まれている。
また、撮影時に被写体全体を照明したい場合や、被写体の部分領域のみを照射したい場合があり、そのような撮影条件に応じた照明を行うことができる照明装置が望まれている。
【０００６】
本発明は、かかる事情に鑑みてなされたものであり、その目的は、撮影条件に応じた照明を行うことができる照明装置を提供することにある。
【課題を解決するための手段】
【０００７】
前記目的を達成するために、本発明の第１の観点の照明装置は、異なる波長分布パターンで発光する複数の発光素子と、撮像条件に適合する波長分布パターンになるように前記複数の発光素子の輝度を制御する制御手段とを有する。
【０００８】
本発明の第１の観点の照明装置によれば、制御手段は、撮像条件に適合する波長分布パターンになるように、異なる波長分布パターンで発光する複数の発光素子の輝度を制御することで、撮像条件に適合する波長分布パターンの光を照射する。
【０００９】
さらに、前記目的を達成するために、本発明の第２の観点の照明装置は、照射角度の異なる複数の発光素子と、撮像条件に適合する照射角度で発光するように前記発光素子の輝度を制御する制御手段とを有する。
【００１０】
本発明の第２の観点の照明装置によれば、制御手段は、撮像条件に適合する照射角度で発光するように、照射角度の異なる複数の発光素子の輝度を制御するので、例えば撮影条件に適合する照射角度で照射する。
【発明の効果】
【００１１】
本発明によれば、撮影条件に応じた照明を行うことができる照明装置を提供することができる。
【発明を実施するための最良の形態】
【００１２】
図１は、本発明の第１実施形態に係る照明装置を採用した撮影システムの全体図である。
本実施形態に係る撮影システム１は、例えば図１に示すように、撮像装置２、および照明装置３を有する。
【００１３】
例えば、撮像装置２は、ディジタルカメラ装置や、デジタルビデオカメラ装置等の撮像装置である。撮影時には、被写体ｈからの光を撮像部で電気信号に変換して記憶媒体等に記録する。本実施形態では撮像装置としてビデオカメラ装置２を説明する。
照明装置３は、例えば図１に示すように、ビデオカメラ装置２の接続部であるホットシュー２０１に装着される。
照明装置３は、例えばホットシュー２０１を介してビデオカメラ装置２から電力供給を受け、撮影時に撮影条件に応じた光を発光して、被写体ｈに照射することで照明を行う。
【００１４】
また、ビデオカメラ装置２は、照明装置３により照明された被写体ｈからの光を受光素子で電気信号に変換し、撮影条件を補正して、その補正結果の撮影条件を示す信号を照明装置３に出力する。照明装置３は、その信号を受けて補正された撮影条件に応じた発光を行う。
【００１５】
図２は、図１に示した撮像装置および照明装置の機能ブロック図である。図３は、図１に示した照明装置の斜視図である。
ビデオカメラ装置２は、例えば図２に示すように、ホットシュー２０１、撮像部２０２、操作入力部２０３、記憶部２０４、制御部２０５、電極Ｅ２１〜Ｅ２４、および電池ＢＴを有する。
撮像部２０２は本発明に係る撮像装置に設けられた受光手段の一例に相当する。
【００１６】
ホットシュー２０１は、照明装置３をビデオカメラ装置２の本体部２０に装着する。
ホットシュー２０１は、例えば図２，３に示すようにビデオカメラ装置本体部２０の上部に設けられている。例えばホットシュー２０１の端部には折曲部２０１ａが形成されており、折曲部２０１ａが照明装置３の脚部３１に形成された接続部３０１の溝部３０１ａと噛合うことで、ビデオカメラ装置２に照明装置３が装着される。
【００１７】
ホットシュー２０１の内側底面部には、電極Ｅ２１〜Ｅ２４が設けられている。
電極Ｅ２１は、例えば電池ＢＴのプラス端子に接続され、電極Ｅ２２は、例えば制御部２０５のクロック信号端子に接続され、電極Ｅ２３は、例えば信号線端子に接続され、電極Ｅ２４は、例えば電池ＢＴのマイナス端子に接続されている。
【００１８】
電池ＢＴは、ビデオカメラ装置２全体に電力を供給する。本実施形態ではビデオカメラ装置２の電池ＢＴは、照明装置３にも電力を供給する。
電池ＢＴは、例えばアルカリ電池やマンガン電池等の１次電池や、リチウム・イオン電池等の２次電池等により構成される。
【００１９】
撮像部２０２は、例えば被写体ｈからの光を検出し、その検出結果に応じた信号を制御部２０５に出力する。
撮像部２０２は、例えば光学レンズ系、レンズ駆動系、アイリス、アイリス駆動系、ＣＣＤやＣＭＯＳ等の受光素子、アナログ／ディジタル（Ａ／Ｄ）変換回路等により構成されている。このレンズ駆動系やアイリス駆動系等は、制御部２０５により駆動され、フォーカスや絞り値等が自動制御される。
【００２０】
操作入力部２０３は、例えばユーザの操作に応じた信号を制御部２０５に出力する。操作入力部２０３は、例えばシャッターレリーズボタン、およびメニュー操作や各種設定を行うための操作ボタン等より構成されている。制御部２０５は、例えば操作入力部２０３からの信号に基づいて本発明に係る処理を行う。
【００２１】
記憶部２０４は、例えば制御部２０５の制御により、撮像部２０２から入力された信号や、初期設定、プログラム等を記憶する。
記憶部２０４は、例えばＲＡＭ（Random Access Memory）やＲＯＭ（Read Only Memory）、磁気ディスク装置、磁気テープ装置、光磁気ディスク、光ディスク等の記憶装置により構成される。
【００２２】
制御部（ＣＰＵ：central processing unit）２０５は、例えばビデオカメラ装置２や照明装置３の装置全体を統括的に制御する。
【００２３】
制御部２０５は、撮像部２０２から入力された検出信号に基づいて撮像条件を設定する。
詳細には、制御部２０５は、ＣＣＤ等により構成される撮像部２０２から入力された検出信号に基づいて、被写体ｈの色温度や被写体までの距離等の情報を特定し、それらの情報に基づいて撮像条件を設定する。
例えば撮像条件は、波長分布パターンを決定するための条件や、照射角度を設定するための条件である。
また、撮像条件は、例えば屋外撮影モード、室内撮影モード、接写モード、スポット照明モード等を示す情報である。
【００２４】
制御部２０５は、信号線Ｌを介して照明装置３とデータ通信を行い、上述した撮像条件を照明装置３に出力する。
また、制御部２０５は、例えば操作入力部２０３から入力された信号に基づいて、上述した撮像条件を設定してもよい。
【００２５】
制御部２０５は、撮像部２０２から入力された検出信号に基づいてホワイトバランス調整処理を行う。
自然の太陽光とは違い、蛍光灯の光には緑の波長成分が比較的大きく、白熱灯にはオレンジの波長成分が比較的大きい。
例えば、蛍光灯や白熱灯による光が照射された被写体ｈを撮像部２０２で撮影した場合には、撮像画像のうち白色領域が、白色と異なる緑色やオレンジ色成分が大きくなり、目視による白色と違なる場合がある。上述した現象を防止するために、色補正を行う機能がホワイトバランス調整処理である。
【００２６】
制御部２０５は、例えば撮像部２０２から入力された検出信号に基づいて白色領域を特定し、その白色領域の波長成分に基づいて、緑色やオレンジ色成分強度を抽出し、太陽光、蛍光灯や、白熱灯の照明下を判別して、適切な白色となるように、照明装置３による照明の波長分布パターンを設定し、その設定（撮像条件）を示す信号を照明装置３に出力する。
【００２７】
照明装置３では、その信号を受けると、その撮像条件に適合するように異なる波長分布パターンの発光素子３０２を発光させる。
詳細には、照明装置３は、例えば緑色波長強度が大きい場合には、その他の波長強度を大きく、オレンジ色波長強度が大きい場合には、その他の波長強度を大きくして、太陽光と同じ波長分布パターンとなるように発光素子３０２を発光させる。
【００２８】
照明装置３は、例えば図２に示すように、接続部３０１、発光素子３０２、受光素子３０３、制御部３０４、および電極Ｅ３１〜Ｅ３４を有する。
例えば制御部３０４は、電源回路３４１、パルス幅変調制御（ＰＷＭ）回路３４２、制御回路３４３、およびスイッチＳＷを有する。
【００２９】
発光素子３０２は本発明に係る発光素子の一例に相当する。制御部３０４は、本発明に係る制御手段の一例に相当する。
受光素子３０３は、本発明に係る照明装置に設けられた受光手段の一例に相当する。
【００３０】
接続部３０１は、上述したように照明装置３の脚部３１に形成されており、複数の電極、例えば電極Ｅ３１〜Ｅ３４を備える。
【００３１】
カメラ装置に接続時には、電極Ｅ３１の一端は電極Ｅ２１と接続し、電極Ｅ３２の一端は電極２２と接続し、電極Ｅ３３の一端は電極２３と接続し、電極Ｅ３４の一端は電極Ｅ２４と電気的に接続する。
電極Ｅ３１の他端は電源回路３４１に接続し、電極Ｅ３２および電極Ｅ３３の他端は制御回路３４２に接続し、電極Ｅ３４の他端は基準電位ＧＮＤに接続されている。
【００３２】
発光素子３０２は、例えば、異なる波長分布パターンで発光する複数の発光素子により構成されている。
発光素子３０２は、例えば発光ダイオードや有機ＥＬ（Electro luminescence）素子等の発光素子により構成される。
【００３３】
発光素子３０２は、例えば図２に示すように、赤色発光を行う発光ダイオード３０２Ｒ、緑色発光を行う発光ダイオード３０２Ｇ、青色発光を行う発光ダイオード３０２Ｂにより構成されている。
【００３４】
図４は、図２に示した照明装置の発光素子の波長分布パターンの一具体例を説明するための図である。縦軸は相対的な発光強度を示し、横軸は波長を示す。
【００３５】
発光ダイオード３０２Ｒは、発光時には、例えば図４に示すように、約６３０ｎｍにピーク強度を有する波長分布パターンＰＲで発光を行う。
発光ダイオード３０２Ｇは、発光時には、例えば図４に示すように、約５１０ｎｍにピーク強度を有する波長分布パターンＰＧで発光を行う。
発光ダイオード３０２Ｂは、発光時には、例えば図４に示すように、約４６０ｎｍにピーク強度を有する波長分布パターンＰＲで発光を行う。
【００３６】
本実施形態では制御部３０４は、撮像条件に適合する波長分布パターン、例えば図４に示すような所望の波長分布パターンＰＰとなるように、発光ダイオード３０２Ｒ，３０２Ｇ，３０２Ｂそれぞれの輝度を制御する。発光ダイオード３０２Ｒ，３０２Ｇ，３０２Ｂそれぞれからの光の波長分布パターンは、重ね合わされて所望の波長分布パターンＰＰとなる。
【００３７】
図５は、図１に示した発光素子の照射角度を説明するための図である。
また、発光素子３０２は、照射角度の異なる複数の発光素子により構成されている。
例えば発光素子３０２は、少なくとも第１の照射角度の第１の発光素子と、第１の照射角度より大きい第２の照射角度の第２の発光素子を含む。
【００３８】
本実施形態では、例えば図５に示すように、照射角度が１５度の発光ダイオード３０２ａ、照射角度が３０度の発光ダイオード３０２ｂ、照射角度が４０度の発光ダイオード３０２ｃが、基板３０２１上に備えられている。
【００３９】
図６は、図１に示した照明装置の発光素子の構成の一具体例を説明するための図である。
例えば図６に示すように、異なる波長分布パターンかつ異なる照射角度の発光素子３０２は、基板３０２１上にアレー形状に形成されている。
”Ｒ”，”Ｇ”，”Ｂ”は赤色発光，緑色発光，青色発光に相当し、”ａ”，”ｂ”，”ｃ”は、照射角度１５度，照射角度３０度，照射角度４０度の発光ダイオードに相当する。
例えば”Ｒａ”は、赤色発光かつ照射角度１５度の発光ダイオードに相当し、”Ｇｂ”は緑色発光かつ照射角度３０度の発光ダイオードに相当する。
上述したように、異なる波長分布パターンで発光する発光素子３０２を基板３０２１上に略均一に配置することが好ましい。こうすることにより、複数の発光素子３０２による光が重ね合わされ、撮像条件に適合した波長分布パターンを容易に得ることができる。
【００４０】
また、照射角度の異なる発光素子３０２を、基板３０２１上に略均一に配置することが好ましい。こうすることにより、複数の発光素子３０２が形成された基板３０２１全面から、所望の照射角度の照射光を容易に得ることができる。
【００４１】
図７は、図１に示した照明装置の発光素子の構成の他の具体例を説明するための図である。
また、発光面の基板３０２１の中心部Ｏからの距離に応じて照射角度が異なる発光素子３０２が形成されてもよい。
【００４２】
例えば距離が大きいほど照射角度が大きい発光素子３０２を形成する。
詳細には、例えば図７に示すように、基板３０２１の中心部Ｏ付近の領域Ａ内には、照射角度１５度の発光素子３０２を形成し、その領域Ａの外側の領域Ｂ内には、照射角度３０度の発光素子３０２を形成し、その領域Ｂの外側の領域Ｃ内には、照射角度４０度の発光素子３０２を形成する。
【００４３】
こうすることで、例えば撮影条件として、被写体ｈの所望の部分領域のみを照明する場合には、中心部Ｏ付近の領域Ａ内に形成された照射角度１５度の複数の発光素子３０２を発光させることにより、より照射角度が小さい発光を行うことができる。
【００４４】
制御部３０４は、例えば装置全体を統括的に制御する。
【００４５】
制御部３０４は、例えば撮像条件に適合する波長分布パターンになるように複数の発光素子３０２の輝度を制御する。
また、制御部３０４は、例えば受光素子３０３や撮像部２０２による検出信号に応じた撮像条件に基づいて発光素子３０２の輝度を制御する。
【００４６】
この際、例えば制御部３０４は、ビデオカメラ装置２に設けられた撮像部２０２による検出信号に応じた撮像条件がビデオカメラ装置２から入力されない場合には、照明装置３に設けられた受光素子３０３による検出信号に応じた撮像条件に基づいて発光素子３０２の輝度を制御する。
【００４７】
また、制御部３０４は、例えば撮像条件に適合する照射角度で発光するように発光素子３０２の輝度を制御する。
例えば制御部３０４は、撮像条件に適合する照射角度で発光するように、複数の発光素子３０２それぞれに印加するパルス信号のレベルを制御する。
【００４８】
制御部３０４は、第１の撮像条件の場合には前記第１の発光素子のみを発光させ、第１の撮像条件以外の第２の撮像条件の場合には第２の発光素子を発光させる。
制御部３０４は、詳細には、例えば被写体ｈの部分領域にのみ照射する撮像条件の場合には、図６，７に示した照射角度１５度の発光素子３０２のみを発光させ、例えば被写体ｈ全体を照射する撮像条件の場合には、照射角度３０度や照射角度４０度の発光素子３０２を発光させる。この際、照射角度１５度の発光素子３０２も同時に発光させてもよい。
【００４９】
また、制御部３０４は、ビデオカメラ装置２に設けられた撮像部２０２による検出信号に応じた撮像条件が当該ビデオカメラ装置２から入力されない場合には、照明装置３に設けられた受光素子３０３による検出信号に応じた撮像条件に基づいて発光素子３０２の輝度を制御する。
【００５０】
また、制御部３０４は、撮像条件に適合する波長分布パターンや照射角度となるように、複数の発光素子３０２それぞれに印加するパルス信号のレベルを制御する。
【００５１】
以下、制御部３０４のより詳細な構成要素の一具体例を説明する。
制御部３０４は、例えば図２に示すように、電源回路３４１、パルス幅変調制御（ＰＷＭ）回路３４２、制御回路３４３、およびスイッチＳＷを有する。
【００５２】
電源回路３４１は、制御部３０４の制御により、ビデオカメラ装置２から電極Ｅ３１を介して供給された電力を、スイッチＳＷを介して発光素子３０２に供給する。
【００５３】
ＰＷＭ回路３４２は、例えば発光素子３０２それぞれに対応して設けられ、制御回路３４３の制御により、発光素子３０２それぞれに印加するパルス信号のレベルを制御する。
【００５４】
簡単な説明のため、図２にはＲＧＢに対応した３つのＰＷＭ１回路，ＰＷＭ２回路，ＰＷＭ３回路のみを示す。
照射角度の異なる発光素子３０２それぞれに対応してＰＷＭ回路３４２を設けてもよいし、全ての発光素子３０２それぞれに対応してＰＷＭ回路３４２を設けてもよい。
【００５５】
スイッチＳＷは、発光素子３０２それぞれに対応して、発光素子３０２と電源回路３４１間に設けられている。
スイッチＳＷは、例えば図２に示すように、Ｐ型ＭＯＳ電界効果トランジスタＱ１〜Ｑ３を有する。Ｐ型ＭＯＳ電界効果トランジスタＱ１〜Ｑ３を、単にトランジスタＱ１〜Ｑ３とも言う。
【００５６】
トランジスタＱ１のソースは電源回路３４１に接続され、ドレインは発光素子３０２Ｒに接続され、ゲートはＰＷＭ１回路に接続されている。
トランジスタＱ２のソースは電源回路３４１に接続され、ドレインは発光素子３０２Ｒに接続され、ゲートはＰＷＭ２回路に接続されている。
トランジスタＱ３のソースは電源回路３４１に接続され、ドレインは発光素子３０２Ｒに接続され、ゲートはＰＷＭ３回路に接続されている。
【００５７】
トランジスタＱ１〜Ｑ３は、ＰＷＭ回路３４２からローレベルの信号が入力された場合には、電源回路３４１から出力されたハイレベルの信号を発光素子３０２に出力し、ＰＷＭ回路３４２からハイレベルの信号が入力された場合には、電源回路３４１からの信号を抑止する（発光素子３０２に出力しない）。
【００５８】
制御回路３４３は、例えばビデオカメラ装置２から電極Ｅ３３を介して入力された撮像条件を示す信号や、受光素子３０３から入力された検出信号に基づいて、撮像条件に適合する波長分布パターンや、照射角度となるようにＰＷＭ回路３４２に制御信号を出力することで、発光素子３０２に印加するパルス信号のレベルを制御する。
【００５９】
図８（ａ）〜（ｃ）は、図１に示した照明装置の制御回路のパルス幅変調制御を説明するための図である。
図８（ａ）はデューティー比５０％の信号、図８（ｂ）はデューティー比３０％の信号、図８（ｃ）はデューティー比１０％の信号を説明するための図である。
【００６０】
制御回路３４３は、撮像条件に応じてＰＷＭ回路３４２にパルス幅変調制御を行わせることにより、発光素子３０２に供給する信号のデューティー比（パルス幅）、タイミング、周波数等を制御して、発光素子３０２の輝度を制御する。
例えば図８（ａ）に示すようなデューティー比５０％の信号は実質的に５０％の電力を発光素子３０２に供給し、図８（ｂ）に示すようなデューティー比３０％の信号は実質的に３０％の電力を発光素子３０２に供給し、図８（ｃ）に示すように、デューティー比１０％の信号は実質的に１０％の電力を発光素子３０２に供給する。
【００６１】
こうすることで、制御回路３４３は、撮像条件に応じて所望の照射角度の発光素子３０２や所望の波長分布パターンの発光素子３０２に供給する電力を制御する。
【００６２】
また、本実施形態では、図３に示すように、発光素子３０２からの光を拡散する拡散板３３を設ける。
拡散板３３は、照明装置３の筐体部３０の前面に必要に応じて設けられる。例えば照射角度を大きくする場合や、波長分布パターンを被写体ｈの照射領域でより均一にしたい場合などに設けられる。
【００６３】
また、制御部３０４の制御により、拡散板３３を駆動する駆動部を設けることにより、制御部３０４は撮像条件に応じて拡散板３３により発光素子３０２からの光を拡散して被写体ｈに照射したり、または直接照射してもよい。
【００６４】
また、制御部３０４は、被写体ｈからの反射光が撮像部２０２や受光素子３０３により検出されると、その検出信号に応じた撮像条件に基づいて、発光素子３０２の輝度を制御して、より最適な撮像条件となるように補正処理を行ってもよい。
【００６５】
また、制御部３０４は、発光素子３０２による拡散板３３を介した被写体ｈからの反射光が撮像部２０２や受光素子３０３により検出されると、その検出信号に応じた撮像条件に基づいて、発光素子３０２の輝度を制御して、より最適な撮像条件となるように補正処理を行ってもよい。
【００６６】
図９は、図１に示した照明装置の動作の一具体例を説明するためのフローチャートである。
図９を参照しながら撮影システム１の動作を、照明装置３の制御部３０４の動作を中心に説明する。
【００６７】
例えば照明装置３がビデオカメラ装置２に装着されると、ビデオカメラ装置２の電池ＢＴから電極Ｅ２１，Ｅ３１、および電極Ｅ２４，Ｅ３４を介して、照明装置３に電力が供給される。
【００６８】
ステップＳＴ１において、ビデオカメラ装置２の制御部２０５は、例えば操作入力部２０３のシャッターレリーズボタンが半押しされた状態を検出すると、撮像部２０２による検出信号に基づいて、被写体ｈの色温度や被写体までの距離等の情報を特定し、それらの情報に基づいてホワイトバランス調整処理等により撮像条件を設定する、その撮像条件を示す信号を出力する。
また、制御部２０５は、操作入力部２０３の操作信号に応じて接写モードやスポット照明モード等を示す撮像条件を示す信号を出力する。
【００６９】
ステップＳＴ２において、制御部３０４の制御回路３４３は、電極Ｅ２３，電極Ｅ３３を介して撮像条件を示す信号を受信すると、その撮像条件に適合する照射角度となるように照射角度を設定する。例えば制御回路３４３は、スポット照明モード時には、照射角度１５度を設定し、それ以外の場合には照射角度を３０度または４０度に設定する。
【００７０】
ステップＳＴ３において、制御部３０４の制御回路３４３は、受信した撮像条件に適合するように波長分布パターンを設定する。
制御回路３４３は、例えば緑色波長強度が大きい場合には、その他の波長強度を大きく、オレンジ色波長強度が大きい場合には、その他の波長強度を大きくして、太陽光と同じ波長分布パターンとなるように設定する。
【００７１】
ステップＳＴ４において、制御回路３４３は、設定した照射角度や波長分布パターンとなるように、ＰＷＭ回路３４２に制御信号を出力する。ＰＷＭ回路３４２はその制御信号に基づいて、トランジスＱ１〜Ｑ３のオン状態およびオフ状態を制御することにより、電源回路３４１から発光素子３０２に供給する信号のレベルを制御してパルス幅変調制御を行う。
【００７２】
発光素子３０２では、供給された電力に応じて発光を行い、撮像条件に応じた照射角度、および撮像条件に応じた波長分布パターンにより被写体ｈを照射する。
また、撮像条件に応じて拡散板３３を介して発光素子３０２からの光が被写体ｈに照射される。
【００７３】
ステップＳＴ５において、その照射した光の検出に応じて補正処理を行う。
詳細には、制御回路３４３は、例えばビデオカメラ装置２の撮像部２０２や受光素子３０３による検出信号に応じた撮像条件に基づいて、発光素子の輝度の補正処理を行う。
そして、制御部２０５は、例えば操作入力部２０３のシャッターレリーズボタンが全押しされた状態を検出すると、撮像部２０２で検出された信号に応じた画像を記憶部２０４に記憶する。
【００７４】
以上、説明したように、異なる波長分布パターンで発光する発光素子３０２と、撮像条件に適合する波長分布パターンになるように複数の発光素子３０２の輝度を制御する制御部３０４とを設けたので、撮影条件に応じた照明を行うことができる。
【００７５】
また、制御部３０４は、被写体ｈからの光を検出する受光部３０３や撮像部２０２による検出信号に応じた撮像条件に基づいて発光素子３０２の輝度を制御するので、煩雑な操作を行うことなく撮像条件に適合する波長分布パターンの光を照射することができる。
【００７６】
また、照射角度の異なる複数の発光素子３０２を設け、制御部３０４は、撮像条件に適合する照射角度で発光するように発光素子３０２の輝度を制御するので、例えば被写体ｈの部分領域のみを照射するスポット照明モード時には、照射角度の比較的小さい発光素子３０２を発光させ、それ以外の場合には、その照射角度よりも大きい発光素子３０２を発光させて被写体ｈのその部分領域よりも広い領域を照明するので、撮影条件に応じた照射角度により照明を行うことができる。
【００７７】
また、撮像装置２に設けられた撮像部２０２による検出信号に応じた撮像条件が当該ビデオカメラ装置２から入力されない場合には、照明装置３に設けられた受光素子３０３による検出信号に応じた撮像条件に基づいて発光素子３０２の輝度を制御するので、例えばアナログ式の撮像装置２により撮影する場合であっても、撮像条件に適合する照明を行うことができる。
【００７８】
また、例えば、発光面の中心部からの距離に応じて照射角度が異なるように複数の発光素子３０２を形成した場合、詳細には中心部からの距離が大きいほど照射角度が大きくなるように発光素子３０２を形成した場合には、発光面全体に略均一に照射角度の異なる複数の発光素子３０２を形成した場合と比較して、より小さい部分領域を照射することができる。
【００７９】
また、発光素子３０２からの照射光を拡散する拡散板３３を設け、制御部３０４は、発光素子３０２による拡散板３３を介した光の被写体ｈからの反射光を、撮像部２０２や受光素子３０３により検出し、その検出信号に応じた撮像条件に基づいて発光素子３３の輝度を制御するので、より撮影条件に適合した照明を行うことができる。
【００８０】
また、制御部３０４は、撮像条件に適合する照射角度や波長分布パターンとなるように、複数の発光素子それぞれに印加するパルス信号のレベルを制御する、詳細にはパルス幅変調制御を行うので、簡単な構成で本発明に係る制御を行うことができる。
【００８１】
また、光源に発光ダイオードを使用することにより、消費電力を低減することができ、ビデオカメラ装置２においてより長時間撮影を行うことができる。
【００８２】
図１０は、本発明の第２実施形態に係る照明装置の機能ブロック図である。簡単な説明のため、図１０を参照しながら第２実施形態に係る照明装置３を、第１実施形態との相違点のみ説明する。
【００８３】
本実施形態では、発光素子３０２として、複数の白色発光ダイオード３０２Ｗ、および電球色発光ダイオード３０２ＢＬを設ける。
白色発光ダイオード３０２Ｗ、および電球色発光ダイオード３０２ＢＬは、例えば照射角度がそれぞれ異なり、光度が６４００ｍｃｖ程度である。
色温度については白色発光ダイオード３０２Ｗが６０００°Ｋ、電球色発光ダイオード３０２ＢＬが３０００°Ｋ程度である。
本実施形態では、２色の発光ダイオードを同時点灯させることで、スペクトルをなるべくランプ色に近いものとした。
【００８４】
また、発光ダイオードの前面には、図３に示すように必要に応じて拡散板３３を設けて、個々の発光ダイオードの色ムラを減衰させる。
また、直列接続した照射角度の異なる４個の発光ダイオードを並列に４セット設ける。
【００８５】
制御部３０４は、撮像条件に適合した照射角度や波長分布パターンとなるように、複数の白色発光ダイオード３０２Ｗ、および電球色発光ダイオード３０２ＢＬを発光させる。
【００８６】
本実施形態では、上述したように、撮像条件に適合した照射角度や波長分布パターンとなるように、複数の白色発光ダイオード３０２Ｗ、および電球色発光ダイオード３０２ＢＬを発光させるので、例えば単色ダイオード点灯時よりも、ハロゲンランプ色点灯時に近い色温度の照明を行うことができる。
【００８７】
なお、本発明は本実施形態に限られるものではなく、任意好適な改変が可能である。
例えば、照明装置３の発光素子３０２の照射角度や波長分布パターンは、上述した形態に限られるものではない。
また、発光素子３０２の発光制御は、照明装置３の制御部３０４のみで行ってもよいし、制御部３０４と制御部２０５との協働により行ってもよい。
【００８８】
また、撮像装置２と照明装置３とを１個の筐体部内に設けてもよい。
また、照明装置３内に電池ＢＴを設けてもよい。
また、上述した実施形態の動作に限られるものではない。
また、補正処理は行わなくともよい。こうすることで処理負荷を軽減することができる。
【図面の簡単な説明】
【００８９】
【図１】本発明の第１実施形態に係る照明装置を採用した撮影システムの全体図である。
【図２】図１に示した撮像装置および照明装置の機能ブロック図である。
【図３】図１に示した照明装置の斜視図である。
【図４】図２に示した照明装置の発光素子の波長分布パターンの一具体例を説明するための図である。
【図５】図１に示した発光素子の照射角度を説明するための図である。
【図６】図１に示した照明装置の発光素子の構成の一具体例を説明するための図である。
【図７】図１に示した照明装置の発光素子の構成の他の具体例を説明するための図である。
【図８】（ａ）〜（ｃ）は、図１に示した照明装置の制御回路のパルス幅変調制御を説明するための図である。（ａ）はデューティー比５０％の信号、（ｂ）はデューティー比３０％の信号、（ｃ）はデューティー比１０％の信号を説明するための図である。
【図９】図１に示した照明装置の動作の一具体例を説明するためのフローチャートである。
【図１０】本発明の第２実施形態に係る照明装置の機能ブロック図である。
【符号の説明】
【００９０】
１…撮影システム、２…撮像装置、３…照明装置、２０１…ホットシュー、２０２…撮像部、２０３…操作入力部、２０４…記憶部、２０５…制御部、３０１…接続部、３０２…発光素子、３０３…受光素子、３０４…制御部、３４１…電源回路、３４２…パルス幅変調制御（ＰＷＭ）回路、３４３…制御回路。Ｑ１〜Ｑ３…トランジスタ。
【図１】
2006010745.tif 000003
【図２】
2006010745.tif 000004
【図３】
2006010745.tif 000005
【図４】
2006010745.tif 000006
【図５】
2006010745.tif 000007
【図６】
2006010745.tif 000008
【図７】
2006010745.tif 000009
【図８】
2006010745.tif 000010
【図９】
2006010745.tif 000011
【図１０】
2006010745.tif 000012